(57)【要約】【課題】開閉器の操作はユーザの意志で行うことができ、開閉器が閉じた状態では保護カバーを取り外すことができないパワーコンディショナを得ること。【解決手段】本体部分２ａと、本体部分２ａに対し移動することによって開位置及び閉位置のいずれかに配置される開閉レバー５を有し、太陽電池モジュールからの電力の電路を開閉レバー５が配置された位置に応じて開閉する開閉器２と、太陽電池モジュールからの直流電力を交流電力に変換するインバータユニットとを有する電気回路部と、電気回路部を収容する外郭筐体と、開閉レバー５が貫通する開口４ａを有し、外郭筐体に収容された電気回路部を覆うように外郭筐体に装着される保護カバー４と、開閉レバー５に装着される取り外し防止キャップ６とを備え、開閉レバー５に装着された取り外し防止キャップ６は、開閉レバー５が閉位置に配置された状態では、開口４ａの外にはみ出して保護カバー４にかかる。【選択図】図３
2014100001.tif 000002
【特許請求の範囲】
【請求項１】
本体部分と、該本体部分に対し移動することによって開位置及び閉位置のいずれかに配置される開閉レバーとを含み、太陽電池モジュールからの電力の電路を前記開閉レバーが配置された位置に応じて開閉する開閉器と、前記電路上に設置されて前記太陽電池モジュールからの直流電力を交流電力に変換するインバータユニットとを有する電気回路部と、
前記電気回路部を収容する外郭筐体と、
前記開閉レバーが貫通する開口を有し、前記外郭筐体に収容された前記電気回路部を覆うように前記外郭筐体に装着される保護カバーと、
前記開閉レバーに装着される取り外し防止キャップとを備え、
前記開閉レバーに装着された前記取り外し防止キャップは、前記開閉レバーが前記閉位置に配置された状態では、前記開口の外にはみ出して前記保護カバーにかかることを特徴とするパワーコンディショナ。
【請求項２】
前記取り外し防止キャップは、前記保護カバーの先端を覆う被覆部と、該被覆部から鍔状に張り出して延在する延在部とを有し、前記開閉レバーが前記閉位置に配置された状態では、前記延在部が前記開口の外にはみ出すことを特徴とする請求項１に記載のパワーコンディショナ。
【請求項３】
本体部分と、該本体部分に対し移動することによって開位置及び閉位置のいずれかに配置される開閉レバーとを含み、太陽電池モジュールからの電力の電路を前記開閉レバーが配置された位置に応じて開閉する複数個の開閉器を、前記開閉レバーが連動するように開閉レバー接続部品で連結した多極開閉器と、前記電路上に設置されて前記太陽電池モジュールからの直流電力を交流電力に変換するインバータユニットとを有する電気回路部と、
前記電気回路部を収容する外郭筐体と、
前記複数個の開閉器の各々の前記開閉レバーが貫通する開口を有し、前記外郭筐体に収容された前記電気回路部を覆うように前記外郭筐体に装着される保護カバーとを備え、
前記開口は、前記複数個の開閉器の各々の前記開閉レバーの前記閉位置の側から前記開位置の側に向かって凸となる凸部が縁に設けられた凹形状であり、
前記開閉レバー接続部品は、前記複数個の開閉器の各々の前記開閉レバーが前記閉位置に配置された状態では、前記凸部と重なることを特徴とするパワーコンディショナ。
【発明の詳細な説明】
【技術分野】
【０００１】
本発明は、太陽光発電用のパワーコンディショナにおいて、施工時やメンテナンス時に確実に太陽電池モジュールからの電力を遮断できる構造に関する。
【背景技術】
【０００２】
太陽光発電システムは、主に、屋根に配設される複数の太陽電池モジュールと、複数の太陽電池モジュールからの配線を一つにまとめてその直流電力をパワーコンディショナに供給する接続箱と、接続箱からの直流電力を交流電力に変換し、交流電力を系統電源に連系するパワーコンディショナとによって構成されている。接続箱、パワーコンディショナには、昇圧回路やインバータユニットなどの各種電子回路が内蔵されている。
【０００３】
パワーコンディショナには、施工時やメンテナンス時に太陽電池モジュールからの電力を遮断するための開閉器が内蔵されている。また、パワーコンディショナは高電圧となるため、電子回路部には保護カバーが取り付けられており、開閉器の開閉レバーは保護カバーに開口を設けて、保護カバーを取り付けた状態で操作できるようになっている。
【０００４】
従来のパワーコンディショナは、取扱説明書及び製品本体の警告表示にて、開閉器を閉じた状態（ＯＮ状態）で保護カバーを外さないように注意喚起はしていたが、構造としての保護機能がないため、開閉器による遮断を確実に行うかは作業者に委ねられているという問題があった。
【０００５】
パワーコンディショナではないが、特許文献１には、扉の開閉に連動する操作レバーを有し、扉が閉じられるのに伴い操作レバーが下方に傾倒して通電路を形成し、扉が開かれるのに伴い操作レバーが上方に傾倒して通電路を遮断する空気調和機の室外機が開示されている。
【先行技術文献】
【特許文献】
【０００６】
【特許文献１】特開２００８−２４１２１３号公報
【発明の概要】
【発明が解決しようとする課題】
【０００７】
特許文献１に記載の発明は、扉を閉めた状態では開閉器の操作ができず、扉を開けると否応なしに開閉器が開いてしまう構造である。このため、特許文献１に記載の発明をパワーコンディショナに適用すると、誤って筐体を開いてしまった場合に、太陽電池モジュールからの電力が不意に遮断されて、電力の安定供給が妨げられてしまう可能性がある。
【０００８】
本発明は、上記に鑑みてなされたものであって、開閉器の操作はユーザの意志で行うことができ、開閉器が閉じた状態では保護カバーを取り外すことができないパワーコンディショナを得ることを目的とする。
【課題を解決するための手段】
【０００９】
上述した課題を解決し、目的を達成するために、本発明は、本体部分と、本体部分に対し移動することによって開位置及び閉位置のいずれかに配置される開閉レバーとを含み、太陽電池モジュールからの電力の電路を開閉レバーが配置された位置に応じて開閉する開閉器と、電路上に設置されて太陽電池モジュールからの直流電力を交流電力に変換するインバータユニットとを有する電気回路部と、電気回路部を収容する外郭筐体と、開閉レバーが貫通する開口を有し、外郭筐体に収容された電気回路部を覆うように外郭筐体に装着される保護カバーと、開閉レバーに装着される取り外し防止キャップとを備え、開閉レバーに装着された取り外し防止キャップは、開閉レバーが閉位置に配置された状態では、開口の外にはみ出して保護カバーにかかることを特徴とする。
【発明の効果】
【００１０】
本発明によれば、開閉器が閉じた状態のままでは保護カバーを取り外すことができないため、高い安全性を有するという効果を奏する。
【図面の簡単な説明】
【００１１】
【図１】図１は、本発明にかかるパワーコンディショナの実施の形態１の構成を示す図である。
【図２】図２は、実施の形態１にかかるパワーコンディショナに適用される開閉器の構造を示す図である。
【図３】図３は、閉じた状態の開閉器と保護カバーとの関係を示す図である。
【図４】図４は、開いた状態の開閉器と保護カバーとの関係を示す図である。
【図５】図５は、本発明にかかるパワーコンディショナの実施の形態２に適用される多極開閉器の構造を示す図である。
【図６】図６は、閉じた状態の多極開閉器と保護カバーとの関係を示す図である。
【図７】図７は、開いた状態の多極開閉器と保護カバーとの関係を示す図である。
【発明を実施するための形態】
【００１２】
以下に、本発明にかかるパワーコンディショナの実施の形態を図面に基づいて詳細に説明する。なお、この実施の形態によりこの発明が限定されるものではない。
【００１３】
実施の形態１．
図１は、本発明にかかるパワーコンディショナの実施の形態１の構成を示す図である。外郭筐体１の内部には、太陽電池モジュールからの直流電力を交流電力に変換するインバータユニットが実装された電子回路基板や開閉器２を始めとする電気部品からなる電気回路部３が収められており、電気回路部３は、保護カバー４で覆われて保護されている。
【００１４】
図２は、実施の形態１にかかるパワーコンディショナに適用される開閉器の構造を示す図である。開閉器２は、太陽電池モジュールからの電力の電路を開閉する機器である。開閉器２は、本体部分２ａと、本体部分２ａに対し移動することによって開位置及び閉位置のいずれかに配置される開閉レバー５とを有する。開閉器２は、太陽電池モジュールからの電力の電路上に設置されており、開閉レバー５が開位置及び閉位置のいずれに配置されるかにより、本体部分２ａの内部で電気の流れが開閉されるようになっている。開閉器２としては、一般的なものを適用可能である。
【００１５】
図３は、閉じた状態の開閉器と保護カバーとの関係を示す図である。開閉レバー５には、取り外し防止キャップ６が装着されている。取り外し防止キャップ６は、開閉レバー５の先端を覆う被覆部６ａと、被覆部６ａから鍔状に張り出して延在する延在部６ｂとを備えている。図３に示すように、開閉レバー５に装着された取り外し防止キャップ６の延在部６ｂは、開閉器２が閉じた状態（ＯＮ状態）では、保護カバー４の開口４ａ以外の部分と投影面で重なっている。すなわち、取り外し防止キャップ６は、開閉レバー５が閉位置に配置された状態では、延在部６ｂが開口４ａの外にはみ出して保護カバー４にかかっている。これにより、開閉器２が閉じた状態で保護カバー４を外そうとしても、取り外し防止キャップ６が保護カバー４と干渉し、保護カバー４を外すことはできなくなっている。
【００１６】
図４は、開いた状態の開閉器と保護カバーとの関係を示す図である。図４に示すように、開閉器２が開いた状態（ＯＦＦ状態）であると、取り外し防止キャップ６の保護カバー４への投影像は、保護カバー４の開口４ａの内側に収まる（取り外し防止キャップ６の投影像が開口４ａからはみ出さない）ため、延在部６ｂが保護カバー４と干渉することはなく保護カバー４を外すことが可能となる。
【００１７】
取り外し防止キャップ６を開閉レバー５に装着した状態であっても、開閉器２のＯＮ／ＯＦＦを切り替える操作はユーザが任意のタイミングで行うことができる。
【００１８】
本実施の形態によれば、開閉器２を開いた状態（ＯＦＦ状態）としない限り保護カバー４を外せない構造を実現するために追加する必要がある部品は、開閉レバー５に装着する取り外し防止キャップ６のみであるため、安全性の高い構造を低コストで実現できる。
【００１９】
実施の形態２．
図５は、本発明にかかるパワーコンディショナの実施の形態２に適用される多極開閉器の構造を示す図である。本明細書において多極開閉器とは、各々の開閉レバー５が開閉レバー接続部品８によって連動し、ＯＮ／ＯＦＦ操作が同時に行われるように連結された複数個の開閉器を指す。すなわち、多極開閉器７は複数の開閉レバー５を連結する開閉レバー接続部品８を備えている。個々の開閉器は、実施の形態１と同様である。
【００２０】
図６は、閉じた状態の多極開閉器と保護カバーとの関係を示す図であり、図６（ａ）は正面図、図６（ｂ）は側面図である。本実施の形態においては、保護カバー４の開口４ａの縁には、開閉レバー５の閉位置の側から開位置の側に向かって凸となる凸部４ｂが設けられており、保護カバー４の開口４ａは凹形となっている。多極開閉器７が閉じた状態（ＯＮ状態）では、開閉レバー接続部品８の保護カバー４への投影像は、保護カバー４の凸部４ｂと重なるため、保護カバー４を外そうとすると、開閉レバー接続部品８が保護カバー４と干渉する。換言すると、開閉レバー接続部品８は、多極開閉器７の開閉レバー５が閉位置に配置された状態では、凸部４ｂと重なっている。したがって、多極開閉器７が閉じた状態では、保護カバー４を外すことはできなくなっている。
【００２１】
図７は、開いた状態の多極開閉器と保護カバーとの関係を示す図であり、図７（ａ）は正面図、図７（ｂ）は側面図である。図７に示すように、多極開閉器７が開いた状態（ＯＦＦ状態）であると、開閉レバー接続部品８の保護カバー４への投影像は、保護カバー４の凸部４ｂと重ならないため、保護カバー４を外すことが可能となる。
【００２２】
多極開閉器７のＯＮ／ＯＦＦを切り替える操作はユーザが任意のタイミングで行うことができる。
【００２３】
本実施の形態によれば、保護カバーの開口に凸部を設けるだけで、多極開閉器を開いた状態（ＯＦＦ状態）としない限り保護カバーを外せない構造を実現できるため、安全性の高い構造を低コストで実現できる。
【産業上の利用可能性】
【００２４】
以上のように、本発明にかかるパワーコンディショナは、安全性の高い構造である点で有用である。
【符号の説明】
【００２５】
１  外郭筐体、２  開閉器、２ａ  本体部分、３  電気回路部、４  保護カバー、５  開閉レバー、６  取り外し防止キャップ、６ａ  被覆部、６ｂ  延在部、７  多極開閉器、８  開閉レバー接続部品。
【図１】
2014100001.tif 000003
【図２】
2014100001.tif 000004
【図３】
2014100001.tif 000005
【図４】
2014100001.tif 000006
【図５】
2014100001.tif 000007
【図６】
2014100001.tif 000008
【図７】
2014100001.tif 000009